(57)【特許請求の範囲】
【請求項１】
既存の柱に側面視直角三角形の鉄骨フレームをその斜辺が下階の柱を指向するように、かつ柱を両側から挟むように取付け、柱を切断したときの上部建物荷重を前記鉄骨フレームを介して下階の柱に伝えることを特徴とする仮設サポート工法。
【請求項２】
支柱と受け梁と斜材とから側面視直角三角形に形成された鉄骨フレームを既存の柱に前記斜材が下階の柱を指向するように、かつ、柱を両側から挟むように、着脱可能に取付けて構成されていることを特徴とする仮設サポート装置。
【発明の詳細な説明】
【０００１】
【発明の属する技術分野】
本発明は、建物のレトロフィット免震工事などにおいて、既存の柱を切断したときの上部建物荷重を支える場合に用いられる仮設サポート工法および仮設サポート装置に関するものである。
【０００２】
【従来の技術】
建物中間階のレトロフィット免震工事においては、従来、図３に示すように、既存の柱を免震装置とジャッキが納まる大きさまで拡径し、ジャッキを下階の梁で受ける施工法が一般的である。
【０００３】
即ち、▲１▼免震を施す階の柱１を柱脚部から必要高さまで補強し、柱下部１ａに柱拡径部３を形成し、▲２▼必要に応じて柱梁接合部４を補強し、▲３▼柱拡径部３と柱梁接合部４との間に複数のジャッキ５等を配置し、このジャッキ５等で上部の軸力を支持し、▲４▼柱頭部（上階梁下）１ｂを切除し、▲５▼柱を切除した部分に免震装置６を設置し、▲６▼ジャッキ５等を撤去して免震工事を終了する。
【０００４】
【発明が解決しようとする課題】
しかし、前述した従来の施工法では、柱を拡大補強するため、手間がかかり、柱の拡大部分の荷重およびジャッキ荷重が下階の梁にかかるため、下階梁の補強が必要になる場合が多い。また、工事終了後も、柱回りに余分な拡大部分が残り、部屋の有効面積が減る。それを避けるためには、工事の後、拡大部分を削るなどしなければならず、手間がかかる。
【０００５】
本発明は、前述のような問題点を解消すべくなされたもので、その目的は、建物のレトロフィット免震工事等において、鉄骨フレームの簡単な取付作業だけで上部建物荷重を支えることができ、また従来の下階梁の補強が不要となり、さらに部屋の有効面積の減少も解消することができる仮設サポート工法および仮設サポート装置を提供することにある。
【０００６】
【課題を解決するための手段】
本発明の仮設サポート工法は、既存の柱に側面視直角三角形の鉄骨フレームをその斜辺が下階の柱を指向するように、かつ柱を両側から挟むように取付け、柱を切断したときの上部建物荷重を前記鉄骨フレームを介して下階の柱に伝えることを特徴とする（請求項１）。
【０００７】
本発明の仮設サポート装置は、支柱と受け梁と斜材とから側面視直角三角形に形成された鉄骨フレームを既存の柱に前記斜材が下階の柱を指向するように、かつ、柱を両側から挟むように、着脱可能に取付けて構成されていることを特徴とする（請求項２）。
【０００８】
柱への鉄骨フレームの取付けには、例えばＰＣ鋼棒とナットを使用し、支柱の上部にＰＣ鋼棒受け梁をその両端部が柱の側面から突出するように設け、鉄骨フレームをその支柱が柱の側面に沿って位置するように、また柱を両側から挟むように配置し、柱を挟んで位置する前記ＰＣ鋼棒受け梁の端部同士をＰＣ鋼棒とナットで締結し、鉄骨フレームを柱に対して取付け・取外し可能とする。
【０００９】
鉄骨フレームの支柱の上部から反柱側へ突出するジャッキ受け梁の先端部にはジャッキや仮設支柱等を配置し、柱頭部を切除した後、上部建物荷重を支持する。この鉄骨フレームは、柱の両側に配設して一対としてもよいし、一対のものを直交する２方向に配設して２組としてもよい。
【００１０】
以上のような構成において、柱下部に一対の鉄骨フレームを抱き合わせ、上階の柱梁接合部と鉄骨フレームの間にジャッキ等を配設し、ジャッキ等と鉄骨フレームで上部建物荷重を支持した状態で柱頭部を切除し、切除した部分に免震装置を配置し、その後、ジャッキ等を撤去し、鉄骨フレームを取り外す。上部建物荷重は、ジャッキ・鉄骨フレームの斜材を介して下階の柱と梁の隅角部を通って下階の柱に伝えられるため、下階の梁には殆ど力が伝わらず、従来における下階の梁の補強が不要となる。また、鉄骨フレームを取付けるだけでよいため、従来の手間のかかる柱の拡径作業を無くすことができる。さらに、工事が終了すれば、鉄骨フレームを取外すことができ、部屋の有効面積の減少も解消される。
【００１１】
【発明の実施の形態】
以下、本発明を図示する実施の形態に基づいて説明する。図１は本発明の仮設サポート装置の１例を示したものである。図２はジャッキの台数を増やした場合の例を示したものである。
【００１２】
図１において、本発明の仮設サポート装置１０は、既存の柱１の柱下部１ａの両側に、ジャッキ受けのための側面視直角三角形の鉄骨フレーム１１をそれぞれ配置し、これら鉄骨フレーム１１，１１同士をＰＣ鋼棒１２とナット１３・座金１４により連結することで柱１に対して取付け・取外しできるように構成されている。
【００１３】
鉄骨フレーム１１は、支柱１５と、ＰＣ鋼棒受け梁１６と、ジャッキ受け梁１７と、斜材１８と、サポート装置脚部１９からなり、支柱１５，ジャッキ受け梁１７，斜材１８がそれぞれ直角三角形の長辺，短辺，斜辺を構成するようにされている。
【００１４】
支柱１５は、左右一対で配置したＨ形鋼等からなり、上面に断面角形鋼材等からなるＰＣ鋼棒受け梁１６が一体的に取付けられ、下面に断面Ｌ字形の鋼板等からなるサポート装置脚部１９が一体的に取付けられている。ジャッキ受け梁１７は、左右一対の支柱１５，１５に対応させて配置した左右一対のＨ形鋼等からなり、基部をＰＣ鋼棒受け梁１６の側面に一体的に取付けることで水平に突出させ、連結した先端部の上にジャッキ５が設置される。
【００１５】
斜材１８は、一対の支柱１５，１５に対応させて配置した左右一対のＨ形鋼等からなり、ジャッキ受け梁１７の先端部と支柱１５の下部を連結する。この斜材１８は、鉄骨フレーム１１を柱に組み付けた時に、そのゲージラインＬがジャッキ荷重の作用点ａと柱１と床７の隅角点ｂを通るように配設し、上部の建物荷重が下階の柱１に伝達されるようにする。
【００１６】
ＰＣ鋼棒受け梁１６は、その両端部が柱１の両側面から突出するような長さとし、この突出部にＰＣ鋼棒１２を貫通させ、ＰＣ鋼棒１２の先端部にナット１３をねじ込み、対向するＰＣ鋼棒受け梁１６，１６同士を締結することで、一対の鉄骨フレーム１１，１１を柱下部１ａに抱き合わせる。
【００１７】
以上のような構成の仮設サポート装置１０を使用して、次のような手順で、レトロフィット免震工事を行う。
(1) 免震装置を取付ける既存の柱１の柱下部１ａに一対の鉄骨フレーム１１，１１を一対のＰＣ鋼棒１２，１２により固定し、必要に応じて上階の柱梁接合部を補強する。
【００１８】
(2) 上階の柱梁接合部と一対のジャッキ受け梁１７，１７の先端部との間にジャッキ５を配設し、このジャッキ５をジャッキアップして上部建物荷重を支持する。
【００１９】
(3) ジャッキアップした状態で柱頭部１ｂ（上階梁下）の上と下を鋸断機等により切断し、柱頭部１ｂを取り去る。この(2),(3) の状態において、上部建物の荷重は斜材１８を介して下階の柱１と梁２の隅角部を通って下階の柱１に伝えられるため、下階の梁２には殆ど力が伝わらず、従来における下階の梁２の補強が不要となる。
【００２０】
(4) 柱頭部１ｂを取り去った部分に免震装置６を配置し、ジャッキ５を撤去する。鉄骨フレーム１１，１１も取り外し、他の箇所の工事に転用する。なお、柱頭部１ｂを切除した柱下部１ａはキャンチ（片持ち）柱となるため、補強が必要になる場合があるが、この場合でも、補強のための拡大は必要最小限のものとすることができる。
【００２１】
以上はジャッキ５を２台用いる例であるが、図２に示すように、ジャッキ５を４台用いることもできる。ジャッキ５を４台用いる理由としては、▲１▼下階の大梁の耐力が小さく、柱軸力を分散させる必要がある場合、▲２▼上階の柱軸力が大きく、下階の大梁の耐力が不足するため、柱軸力を分散させる必要がある場合などである。
【００２２】
この場合、図２に示すように、図１の鉄骨フレーム１１，１１と直交する方向に鉄骨フレーム１１’，１１’を配設すればよい。この鉄骨フレーム１１’には、鉄骨フレーム１１と同じ構成のものを用いるが、２方向のＰＣ鋼棒が互いに干渉しないように、支柱１５’の長さを若干長くし、ＰＣ鋼棒受け梁１６の上にＰＣ鋼棒受け梁１６’が載るようにする。この場合も、上部建物の荷重が斜材を介して下階の柱１に伝えられるが、４台のジャッキ５，５，５’，５’により４方に分散させることができる。
【００２３】
【発明の効果】
本発明は、以上のような構成からなるので、次のような効果を奏することができる。
【００２４】
(1) 上部建物荷重を鉄骨フレームの斜材を介して下階の柱と梁の隅角部を通って下階の柱に伝えるようにしたため、下階の梁には殆ど力が伝わらず、従来における下階の梁の補強が不要となる。
【００２５】
(2) 鉄骨フレームを取付けるだけでよいため、従来の手間のかかる柱の拡径作業を無くすことができ、下階の梁の補強が不要となることと相まって、工期の短縮およびコストの低減を図ることができる。
【００２６】
(3) 工事が終了すれば、鉄骨フレームを取外すことができ、部屋の有効面積の減少を解消することことができる。
【図面の簡単な説明】
【図１】本発明の仮設サポート装置の１例であり、(a) は平面図、(b) は立面図、(c) は横断面図である。
【図２】本発明の仮設サポート装置のジャッキの台数を増やした場合の例であり、(a) は平面図、(b) は立面図である。
【図３】従来のレトロフィット免震工事における施工法を工程順に示す立面図である。
【符号の説明】
１……柱
１ａ…柱下部
１ｂ…柱頭部
２……梁
３……柱拡径部
４……柱梁接合部
５……ジャッキ
６……免震装置
７……床
１０……仮設サポート装置
１１……鉄骨フレーム
１２……ＰＣ鋼棒
１３……ナット
１４……座金
１５……支柱
１６……ＰＣ鋼棒受け梁
１７……ジャッキ受け梁
１８……斜材
１９……サポート装置脚部
【図１】
0003646575.tif 000002
【図２】
0003646575.tif 000003
【図３】
0003646575.tif 000004